(57)【特許請求の範囲】
【請求項１】
遊技機を駆動するための電源からの電力供給の有無によらずデータを記憶可能な記憶手段と、初期化処理の実行を指示するためのクリアスイッチと、遊技状態を制御する遊技制御手段と、前記遊技制御手段と一方向通信により接続し且つ前記遊技制御手段からの制御コマンドに基づいて動作する周辺装置とを備え、前記遊技制御手段は、前記周辺装置への制御コマンドを前記記憶手段に記憶し、前記制御コマンドを前記周辺装置に出力し、前記電源からの電力投入時には、前記記憶手段の制御コマンドに基づいて、停電直前に前記周辺装置に出力した制御コマンドの次に出力すべき制御コマンドから出力を開始する遊技機であって、
前記遊技制御手段は、
バックアップが有効であることを示すバックアップフラグを電源断時に前記記憶手段に記憶するフラグ記憶手段と、
前記クリアスイッチがオンか否か及び前記バックアップフラグに基づいてバックアップが有効であるか否かを電源投入時に判定する電源投入時判定手段と、
前記電源投入時判定手段で前記クリアスイッチがオンでなく且つバックアップが有効であると判定したときは、電源復帰情報に続けて所定の前記制御コマンドを出力し、その後、前記次に出力すべき制御コマンドを出力する電源復帰情報出力手段と、
前記電源投入時判定手段で前記クリアスイッチがオンであるか又はバックアップが有効でないと判定したときは、前記電源復帰情報を出力せずに前記初期化処理を実行する初期化処理実行手段とを有し、
前記周辺装置は、
前記制御コマンドを入力したときは、入力した制御コマンドのフォーマットが正常か否かを判定するフォーマット判定手段と、
前記フォーマット判定手段で正常であると判定したときは、前記入力した制御コマンドに基づいて動作を行う制御コマンド実行手段と、
前記フォーマット判定手段で正常でないと判定したときは、エラー処理を実行するエラー処理実行手段と、
前記電源復帰情報を入力したときは、前記エラー処理を実行せず、当該電源復帰情報に続けて入力される前記所定の制御コマンドに基づいて電源復帰後処理を実行する電源復帰後処理実行手段とを有することを特徴とする遊技機。
【請求項２】
遊技機を駆動するための電源からの電力供給の有無によらずデータを記憶可能な記憶手段と、初期化処理の実行を指示するためのクリアスイッチと、遊技状態を制御する遊技制御手段と、前記遊技制御手段と一方向通信により接続し且つ前記遊技制御手段からの複数の制御コマンドからなる制御コマンド群に基づいて遊技状態に関する表示を行う表示装置とを備え、前記遊技制御手段は、前記表示装置への制御コマンドを前記記憶手段に記憶し、前記制御コマンドを前記表示装置に出力し、前記電源からの電力投入時には、前記記憶手段の制御コマンドに基づいて、停電直前に前記表示装置に出力した制御コマンドの次に出力すべき制御コマンドから出力を開始する遊技機であって、
前記遊技制御手段は、
バックアップが有効であることを示すバックアップフラグを電源断時に前記記憶手段に記憶するフラグ記憶手段と、
前記クリアスイッチがオンか否か及び前記バックアップフラグに基づいてバックアップが有効であるか否かを電源投入時に判定する電源投入時判定手段と、
前記電源投入時判定手段で前記クリアスイッチがオンでなく且つバックアップが有効であると判定したときは、電源復帰情報に続けて所定の前記制御コマンド群を出力し、その後、前記次に出力すべき制御コマンドを出力する電源復帰情報出力手段と、
前記電源投入時判定手段で前記クリアスイッチがオンであるか又はバックアップが有効でないと判定したときは、前記電源復帰情報を出力せずに前記初期化処理を実行する初期化処理実行手段とを有し、
前記表示装置は、
前記制御コマンドを入力したときは、入力した制御コマンドのフォーマットが正常か否かを判定するフォーマット判定手段と、
前記フォーマット判定手段で正常であると判定したときは、前記入力した制御コマンドに基づいて動作を行う制御コマンド実行手段と、
前記フォーマット判定手段で正常でないと判定したときは、エラー処理を実行するエラー処理実行手段と、
前記電源復帰情報を入力したときは、前記エラー処理を実行せず、当該電源復帰情報に続けて入力される前記所定の制御コマンド群に基づいて電源復帰後処理を実行する電源復帰後処理実行手段とを有することを特徴とする遊技機。
【請求項３】
前記表示装置は、前記電源復帰後処理として、遊技可能な状態である旨を通知することを特徴とする請求項２記載の遊技機。
【請求項４】
前記遊技制御手段は、前記次に出力すべき制御コマンドを出力する前に、前記電源復帰情報に続いて遊技可能状態表示コマンドを出力し、前記表示装置では、前記電源復帰後処理として遊技可能状態表示コマンドに基づいて前記遊技可能な状態である旨を通知することを特徴とする請求項３記載の遊技機。
【発明の詳細な説明】
【０００１】
【発明の属する技術分野】
本発明は、停電から復帰したときに停電直前の状態に制御状態を復帰させるバックアップ機能付き遊技機に関する。
【０００２】
【従来の技術】
従来、パチンコ機等の遊技機としては、停電から復帰したときに停電直前の状態に制御状態を復帰させるバックアップ機能付きの遊技機があった。従来の遊技機は、遊技機を駆動するための電源とは別の電源からの電力によりデータを記憶する記憶手段を有し、遊技機の遊技制御を行う主制御基板をなす遊技制御装置と、遊技制御装置からの複数の制御コマンドからなる制御コマンド群ごとにその制御コマンドに基づいて図柄の表示制御等を行う副制御基板からなる図柄表示装置とを備えている。
【０００３】
遊技制御装置は、図柄表示装置に出力した制御コマンドを記憶装置に記憶し、停電から復帰したときは、記憶手段に記憶した制御コマンドに基づいて、停電直前に出力していた制御コマンド群の最初の制御コマンドから再送を行うようになっている。例えば、図柄制御装置により図柄の変動表示制御を行う場合には、遊技制御装置は、「特別図柄を変動させ、変動開始後どれだけ時間経過してから特別図柄を停止させるかを指示するための変動パターン指定コマンド」と、「特別図柄のうち左図柄の停止図柄を指定する左図柄指定コマンド」と、「特別図柄のうち中図柄の停止図柄を指定する中図柄指定コマンド」と、「特別図柄のうち右図柄の停止図柄を指定する右図柄指定コマンド」と、「特別図柄を停止させるための図柄停止コマンド」とからなる制御コマンド群をその順序で図柄表示装置に出力する。
【０００４】
このような制御コマンド群において、例えば、右図柄指定コマンドを出力してから図柄停止コマンドを出力するまでの間に停電が発生した場合、その後の電源復帰時には、遊技制御装置は、図柄表示装置に、変動パターン指定コマンド、左図柄指定コマンド、中図柄指定コマンド及び右図柄指定コマンドを再送している。
【０００５】
【発明が解決しようとする課題】
ところで、遊技制御装置は、電源復帰時には、残りの制御コマンドからしか送信することができない。例えば、上述した例のように右図柄指定コマンドを出力してから図柄停止コマンドを出力するまでの間に停電した場合には、遊技制御装置は、図柄停止コマンドから出力を開始することになる。
その一方、図柄表示装置は、制御コマンド群ごとにその制御コマンドが送られてくることを前提に図柄の表示処理を行うようになっているために、制御コマンド群の途中の制御コマンドを入力しても正常な制御コマンド群ではないと判定し、エラー検知してしまう。
【０００６】
よって、遊技制御装置が停電復帰時に途中の制御コマンドからの出力を開始すると、図柄表示装置では、電源復帰後処理において、送られてきた制御コマンドを通常送られてくる制御コマンドとして認識できず、正常な制御コマンド群ではないと判定してエラー検知してしまう。これにより、例えば、エラー検知がなされてしまうと、停電復帰時にしばらくの間、表示部に何も表示されない状態が継続してしまう場合がある。しかし、停電から復帰して遊技可能な状態となったときに、画面に何も表示されない状態が継続すると、停電の影響により遊技機がまだ遊技不能な状態にあるのではないかという不安感を遊技者に与えてしまう。
【０００７】
このようなことから、電源復帰後処理として、電源断前の状態に復帰するまでの間に、遊技者に不安感を与えないように、復帰処理中である旨の表示を図柄表示装置においてすることも考えられる。しかし、この場合でも、図柄表示装置では、遊技制御装置から送信されてくるその表示のための制御コマンドを認識できず、エラー検知してしまう場合がある。
そこで、本発明は、このような従来の技術の有する未解決の課題に着目してなされたものであって、停電復帰時に、図柄制御装置が正常動作することができる遊技機の提供を目的としている。
【０００８】
【課題を解決するための手段】
〔発明１〕
前記目的を達成するために、発明１の遊技機は、遊技機を駆動するための電源からの電力供給の有無によらずデータを記憶可能な記憶手段と、ＲＡＭと、遊技状態を制御する遊技制御手段と、前記遊技制御手段と一方向通信により接続し且つ前記遊技制御手段からの制御コマンドに基づいて動作する周辺装置とを備え、前記制御コマンドは、当該制御コマンドの分類を識別するためのデータと、当該制御コマンドの実行内容を示すデータとからなり、前記遊技制御手段は、コマンド変化時に自身が生成するストローブ信号の１つ目の立ち上がりを契機として、前記分類を識別するためのデータを出力ポートを介して出力し、前記ストローブ信号の２つ目の立ち上がりを契機として、前記実行内容を示すデータを前記出力ポートを介して出力することにより前記制御コマンドを前記周辺装置に出力し、前記周辺装置への制御コマンドを前記記憶手段に記憶し、前記電源からの電力投入時には、前記記憶手段の制御コマンドに基づいて、停電直前に前記周辺装置に出力した制御コマンドの次に出力すべき制御コマンドから出力を開始する遊技機であって、前記遊技制御手段は、前記制御コマンドが前記記憶手段に格納されているか否か及び前記ＲＡＭのクリアスイッチがオンか否かを電源投入時に判定し、前記制御コマンドが前記記憶手段に格納されており且つ前記クリアスイッチがオンでないと判定したときは、電源復帰情報に続けて所定の前記制御コマンドを前記出力ポートを介して出力し、その後、前記次に出力すべき制御コマンドを前記ＲＡＭの所定エリアに格納して前記出力ポートを介して出力し、前記制御コマンドが前記記憶手段に格納されていないと判定したときは、前記記憶手段の記憶エリアのクリア処理を実行するようになっており、前記周辺装置は、前記電源復帰情報を入力したか否かを判定し、前記電源復帰情報を入力したと判定したときは、当該電源復帰情報に続けて入力される前記所定の制御コマンドに基づいて電源復帰後処理を実行するようになっている。
【０００９】
このような構成であれば、遊技制御手段により、制御コマンドが周辺装置に出力されるとともに、周辺装置への制御コマンドが記憶手段に記憶され、周辺装置により、制御コマンドに基づいて遊技状態に関する表示が行われる。制御コマンドの出力は、ストローブ信号の１つ目の立ち上がりを契機として、分類を識別するためのデータが出力ポートを介して出力され、ストローブ信号の２つ目の立ち上がりを契機として、実行内容を示すデータが出力ポートを介して出力されることにより行われる。
そして、停電等により電源からの電力が遮断された場合に、停電から復帰して電源投入時には、遊技制御手段により、制御コマンドが記憶手段に格納されているか否か及びＲＡＭのクリアスイッチがオンか否かが判定される。その結果、制御コマンドが記憶手段に格納されており且つクリアスイッチがオンでないと判定されると、電源復帰情報に続けて所定の制御コマンドが周辺装置に出力される。周辺装置では、電源復帰情報が入力されると、その電源復帰情報に続けて入力される所定の制御コマンドに基づいて電源復帰後処理が実行される。その後、遊技制御手段により、停電直前に周辺装置に出力した制御コマンドの次に出力すべき制御コマンドがＲＡＭの所定エリアに格納されて出力ポートを介して出力される。
一方、制御コマンドが記憶手段に格納されていないと判定されると、遊技制御手段により、記憶手段の記憶エリアのクリア処理が実行される。
【００１０】
ここで、記憶手段は、遊技機を駆動するための電源からの電力供給の有無によらずデータを記憶可能なものであればどのような構成であってもよく、例えば、遊技機を駆動するための電源とは別の電源からの電力によりデータを記憶可能なものであってもよいし、フラッシュＲＯＭ等のデータ書換可能な不揮発性の記憶素子からなるものであってもよい。以下、発明２の遊技機において同じである。
【００１１】
また、周辺装置としては、遊技機がパチンコ機であれば、例えば、賞球払出制御装置、貸出球払出制御装置、ランプ制御装置、音声制御装置、図柄表示装置または発射制御装置が挙げられる。このうち特に、図柄表示装置に対して本発明を適用するのが好適である。遊技者は、遊技機のなかで図柄表示装置に注目する可能性が高いため、停電から復帰したときに遊技者に与える不安感を有効に緩和することができるからである。
【００１２】
〔発明２〕
また、発明２の遊技機は、遊技機を駆動するための電源からの電力供給の有無によらずデータを記憶可能な記憶手段と、ＲＡＭと、遊技状態を制御する遊技制御手段と、前記遊技制御手段と一方向通信により接続し且つ前記遊技制御手段からの複数の制御コマンドからなる制御コマンド群に基づいて遊技状態に関する表示を行う表示装置とを備え、前記制御コマンドは、当該制御コマンドの分類を識別するためのデータと、当該制御コマンドの実行内容を示すデータとからなり、前記遊技制御手段は、コマンド変化時に自身が生成するストローブ信号の１つ目の立ち上がりを契機として、前記分類を識別するためのデータを出力ポートを介して出力し、前記ストローブ信号の２つ目の立ち上がりを契機として、前記実行内容を示すデータを前記出力ポートを介して出力することにより前記制御コマンドを前記表示装置に出力し、前記表示装置への制御コマンドを前記記憶手段に記憶し、前記電源からの電力投入時には、前記記憶手段の制御コマンドに基づいて、停電直前に前記表示装置に出力した制御コマンドの次に出力すべき制御コマンドから出力を開始する遊技機であって、前記遊技制御手段は、前記制御コマンドが前記記憶手段に格納されているか否か及び前記ＲＡＭのクリアスイッチがオンか否かを電源投入時に判定し、前記制御コマンドが前記記憶手段に格納されており且つ前記クリアスイッチがオンでないと判定したときは、電源復帰情報に続けて所定の前記制御コマンド群を前記出力ポートを介して出力し、その後、前記次に出力すべき制御コマンドを前記ＲＡＭの所定エリアに格納して前記出力ポートを介して出力し、前記制御コマンドが前記記憶手段に格納されていないと判定したときは、前記記憶手段の記憶エリアのクリア処理を実行するようになっており、前記表示装置は、前記電源復帰情報を入力したか否かを判定し、前記電源復帰情報を入力したと判定したときは、当該電源復帰情報に続けて入力される前記所定の制御コマンド群に基づいて電源復帰後処理を実行するようになっている。
【００１３】
このような構成であれば、遊技制御手段により、複数の制御コマンドからなる制御コマンド群が表示装置に出力されるとともに、表示装置への制御コマンドが記憶手段に記憶され、表示装置により、制御コマンド群に基づいて遊技状態に関する表示が行われる。制御コマンドの出力は、ストローブ信号の１つ目の立ち上がりを契機として、分類を識別するためのデータが出力ポートを介して出力され、ストローブ信号の２つ目の立ち上がりを契機として、実行内容を示すデータが出力ポートを介して出力されることにより行われる。
そして、停電等により電源からの電力が遮断された場合に、停電から復帰して電源投入時には、遊技制御手段により、制御コマンドが記憶手段に格納されているか否か及びＲＡＭのクリアスイッチがオンか否かが判定される。その結果、制御コマンドが記憶手段に格納されており且つクリアスイッチがオンでないと判定されると、電源復帰情報に続けて所定の制御コマンド群が表示装置に出力される。表示装置では、電源復帰情報が入力されると、その電源復帰情報に続けて入力される所定の制御コマンド群に基づいて電源復帰後処理が実行される。その後、遊技制御手段により、停電直前に表示装置に出力した制御コマンドの次に出力すべき制御コマンドがＲＡＭの所定エリアに格納されて出力ポートを介して出力される。
一方、制御コマンドが記憶手段に格納されていないと判定されると、遊技制御手段により、記憶手段の記憶エリアのクリア処理が実行される。
【００１４】
〔発明３〕
また、発明３の遊技機は、発明２の遊技機において、前記表示装置が、前記電源復帰後処理として、遊技可能な状態である旨を通知するようになっていることを特徴としている。このような構成であれば、表示装置では、電源復帰後処理として遊技可能な状態である旨を通知する。
〔発明４〕
また、発明４の遊技機は、発明３の遊技機において、前記遊技制御手段が、前記次に出力すべき制御コマンドを出力する前に、前記電源復帰情報に続いて遊技可能状態表示コマンドを出力し、前記表示装置では、前記電源復帰後処理として遊技可能状態表示コマンドに基づいて前記遊技可能な状態である旨を通知することを特徴としている。
【００１５】
このような構成であれば、表示装置は、電源復帰情報を認識して、確実に電源復帰後処理の正常動作を行い、続いて入力される遊技可能状態表示コマンドに基づいて遊技可能な状態である旨を表示する。
【００１６】
【発明の実施の形態】
以下、本発明の実施の形態を図面を参照しながら説明する。この実施の形態は、本発明に係る遊技機を、停電から復帰したときに停電直前の状態に制御状態を復帰させるバックアップ機能付きのパチンコ機に適用したものである。
先ず、パチンコ機における遊技盤面の構成を図１を参照しながら説明する。図１は、パチンコ機における遊技盤面の正面部、特に説明に必要な部分を模式的に示した図である。
【００１７】
遊技盤１０のほぼ中央部には、図１に示すように、３つ（左、中、右）の表示エリアを有していて、各表示エリアにおいて、独立して数字やキャラクタによる図柄で構成される識別情報を横一列の配列パターンで変動表示可能である特別図柄表示装置１００が配設されており、その真下には、特別図柄始動口１０４が配設されていて、この特別図柄始動口１０４の両側には、普通図柄作動ゲート１０２，１０２が配設されている。また、一対の開閉部材１２０，１２０が特別図柄始動口１０４を形成するように離間して開閉可能に設けられている。
【００１８】
さらに、特別図柄始動口１０４の下方には、大入賞口１０６と、普通図柄表示装置１０８と、アウト口１１４とがこの順で配設されており、さらに、特別図柄始動口１０４の両斜め上方には、ランプ表示装置１１０，１１０が配設されているとともに、遊技盤１０の両側端部近傍にもランプ表示装置（より具体的には、ＬＥＤ装置）１１２，１１２が配設されている。
そして、特別図柄始動口１０４に遊技球が入賞して乱数抽選が行われ、この抽選された乱数が大当り値であるときには、各表示エリアにおいて少なくとも１つの識別情報の変動表示が開始され、その後、所定パターン（例えば、「７、７、７」）の表示が特別図柄表示装置１００によって行われ、大入賞口１０６が所定パターンで開閉制御されて遊技者にとって有利な大当り遊技状態となる。
【００１９】
また、普通図柄作動ゲート１０２が遊技球の通過を検出すると、乱数抽選が行われ、この抽選された乱数が小当り値であるときには、普通図柄表示装置１０８の表示部を所定パターン（例えば、「７」や「３」）に表示させ、その後に、開閉部材１２０が開状態となって遊技球が特別図柄始動口１０４に入賞した場合にも、同様に乱数抽選が行われ、この抽選された乱数が大当り値であるときには、各表示エリアにおける変動表示が開始され、その後、所定表示パターン（例えば、「７、７、７」）の表示が特別図柄表示装置１００によって行われ、大入賞口１０６が所定パターンで開閉制御されて遊技者にとって有利な大当り状態となる。一方、いずれの入賞口にも入賞しない遊技球は、アウト口１１４を介して排出される。また、この遊技機は、奇数図柄が出目で大当りとなった場合には、次回の大当り確率が向上する確率変動機能を有している。
【００２０】
次に、パチンコ機における主制御部２００の構成を図２を参照しながら説明する。図２は、主制御部２００の構成を示すブロック図である。
主制御部２００は、図２に示すように、ＣＰＵを内蔵したマイクロプロセッサを搭載していて、一連の遊技機制御手順を記述した遊技制御プログラムや制御データ等を格納するためのＲＯＭ２０１と、ワークエリアが形成されるＲＡＭ２０３と、電気的にデータ書換可能な不揮発性メモリであるＥＥＰＲＯＭ（Electrically Erasable and Programmable Read Only Memory）２０４とが設けられていて、一体型のワンチップマイコンとなっている。
【００２１】
ＲＯＭ２０１は、遊技制御プログラムのほか、後に説明する、特別図柄表示装置１００を制御するための各種のコマンドを少なくとも含む、多種多様な制御コマンドを格納するコマンドデータテーブル領域２０２を有している。
ＥＥＰＲＯＭ２０４は、停電から復帰したときに停電直前の状態に制御状態を復帰させるために、特別図柄表示装置１００等に出力した制御コマンドを格納するためのものである。停電から復帰したときは、ＥＥＰＲＯＭ２０４の制御コマンドに基づいて、停電直前に出力した制御コマンドの次に出力すべき制御コマンドから出力を開始することにより、停電直前の状態に制御状態を復帰させる。
【００２２】
主制御部２００には、入力ポート２１０を介して、特別図柄始動口１０４内部に設けられ遊技球の特別図柄始動口１０４への入賞を検出する特別図柄始動スイッチ３０４と、普通図柄作動ゲート１０２の内部に設けられ遊技球のゲート通過を検出する普通図柄作動スイッチ３０６と、大入賞口１０６の内部に設けられ遊技球の大入賞口１０６への入賞を検出する大入賞ロスイッチ３０８とが接続され、主制御部２００は、各検出信号を入力可能となっている。
【００２３】
また、主制御部２００には、出力ポート２１５を介して、周辺装置が多数接続されている。すなわち、主制御部２００には、出力ポート２１５を介して、特別図柄やキャラクタを表示する表示部を３つ有してそれぞれを独立して可変表示可能でＬＣＤ等で実現される特別図柄表示装置１００と、ランプを点灯制御するランプ表示装置１１０，１１２と、効果音を発生する効果音発生装置１１６と、７セグメント表示デバイス等で実現される普通図柄表示装置１０８と、始動口の開閉部材１２０を開閉制御するための始動口作動ソレノイド３００と、大入賞口１０６の幅広な開閉部材を開閉制御するための大入賞口作動ソレノイド３０２とが接続されている。
【００２４】
そして、主制御部２００は、各周辺装置を制御するための制御コマンドを出力可能となっている。主制御部２００は、特に特別図柄表示装置１００、ランプ表示装置１１０（１１２）、効果音発生装置１１６及び普通図柄表示装置１０８に対しては、所定数個の制御コマンドを所定のタイミングで出力可能となっていて、これら周辺装置は、受け取った制御コマンドに基づいて、主制御部２００に頼らずに自身内のＣＰＵが細かな制御を行うようになっている。さらに、主制御部２００から周辺装置へ制御コマンドを出力するのみの一方向通信による通信形態を採っている。
【００２５】
また、主制御部２００には、電源供給を行うための電源回路２１２と、所定時間ごとにリセット信号を出力するリセット回路２１３とが接続されていて、さらに、リセット回路２１３には、主制御部２００から周期的タイマカウンタによって生成されたパルス信号が入力されるとともに、電源回路２１２からの電流供給状況を監視するためのモニタ信号が入力される。
次に、主制御部２００から特別図柄表示装置１００に出力される表示制御コマンドの構造及び内容を図３乃至図７を参照しながら説明する。図３は、表示制御コマンドのデータ構造を示す図であり、図４乃至図７は、表示制御コマンドの内容を示す図である。
【００２６】
主制御部２００から特別図柄表示装置１００に出力される表示制御コマンドは、図３に示すように、表示制御コマンドの分類を識別するための識別子で１バイト長のディジタルデータであるモード（ＭＯＤＥ）と、実行される表示制御コマンドの内容（機能）を示す１バイト長のディジタルデータであるイベント（ＥＶＥＮＴ）とからなる。なお、特別図柄表示装置１００以外の周辺装置に出力される制御コマンドも、これと同様のデータ構造になっている。
【００２７】
表示制御コマンドには、図４乃至図７に示すように、「特別図柄を変動させ、変動開始後どれだけ時間経過してから特別図柄を停止させるかを指示するための変動パターン指定コマンド」と、「特別図柄のうち左図柄の停止図柄を指定する左図柄指定コマンド」と、「特別図柄のうち中図柄の停止図柄を指定する中図柄指定コマンド」と、「特別図柄のうち右図柄の停止図柄を指定する右図柄指定コマンド」と、「特別図柄を停止させるための図柄停止コマンド」とがある。これらのコマンドは、遊技状況に応じて変動表示の変動態様がどのように変化しても必ず必要なものであり、主制御部２００は、図柄変動表示を開始させるような遊技状況となったとき、これらの５つのコマンドを１回の変動表示制御において所定のタイミングで特別図柄表示装置１００に出力する。また、図柄停止コマンドを、左・中・右図柄指定コマンドに対応させて用意するようにしても良い。
【００２８】
次に、主制御部２００の構成及び主制御部２００で実行される処理を図８を参照しながら詳細に説明する。
主制御部２００は、ＣＰＵを内蔵したマイクロプロセッサを搭載し、ＣＰＵは、リセット回路２１３からのリセット信号により所定の動作クロック（例えば、４［ｍｓ］）で１サイクルを実行可能な遊技制御プログラムに基づいて動作するようになっており、ＲＯＭ２０１の所定領域に格納されている遊技制御プログラムを起動させ、図８のフローチャートに示す遊技制御処理を実行するようになっている。図８は、遊技制御処理を示すフローチャートである。
【００２９】
遊技制御処理は、主制御部２００のＣＰＵにおいて実行されると、先ず、ステップＳ１１０に移行するようになっている。
ステップＳ１１０では、電源投入が行われてから初めての処理が実行されたか否かを判定する。電源投入後、初めての処理のとき(Yes)は、ステップＳ３００に移行する一方、これ以外のとき(No)は、ステップＳ１２０に移行する。
ステップＳ３００の処理内容については、後で詳述する。一方、ステップＳ１２０では、ＲＡＭ２０３内に形成される図示しない、大当り判定用、小当り判定用等の各種の乱数生成用ループカウンタのカウント値をインクリメントし、ステップＳ１３０では、遊技機制御に用いる各種のタイマのタイマ値を更新する。
【００３０】
次に、ステップＳ１４０において、特別図柄始動スイッチ３０４、普通図柄作動スイッチ３０６及び大入賞ロスイッチ３０８が出力した検出信号を入力ポート２０３を介して図示しない自身内のレジスタに読み込み格納する入力ポート処理を実行し、次いで、ステップＳ１５０に移行して、ポート入力処理で読み込み格納したデータを把握するためのスイッチチェック処理を実行する。
次に、ステップＳ１６０にて、各スイッチ３０４，３０６，３０８等の断線や短絡の有無のチェックを行い、これらの障害が発生しているとき(Yes)は、ステップＳ２２０に移行する一方、これ以外のとき(No)は、ステップＳ１８０に移行する（ステップＳ１７０）。
【００３１】
そして、ステップＳ１８０において、普通図柄表示装置１０７の表示制御に必要なデータをＲＡＭ２０３の所定領域に格納するとともに、特別図柄表示装置１００の表示制御コマンド（図４乃至図７にて説明した表示制御コマンドを含む）をＲＡＭ２０３の所定領域に格納して、続くステップＳ１９０にて、各種のタイマのタイマ値を減じる。なお、ステップＳ１８０において、主制御部２００は、遊技制御に応じて必要なモード、イベントの表示制御コマンドをコマンドデータテーブル領域２０２を参照して決定し、決定したモード、イベントを示すディジタルデータをＲＡＭ２０３の所定エリアに格納する。
【００３２】
次に、ステップＳ２００において、大入賞口１０６と特別図柄始動口１０４の開閉部材１２０とを所定パターンで開閉制御するために、始動口作動ソレノイド３００と大入賞口作動ソレノイド３０２とを駆動制御し、次いで、ステップＳ２２０において、図示しない賞球払出装置に払出し動作を行わせるための制御コマンドをＲＡＭ２０３の所定エリアに格納する賞球セット処理を実行し、さらに、ステップＳ２３０，Ｓ２４０，Ｓ２５０において、図示しない遊技機管理装置に各種の遊技データを出力する外部情報処理と、効果音発生装置１１６を遊技状態に対応させて効果音発生制御するための制御コマンドをＲＡＭ２０３の所定エリアに格納する効果音処理と、ランプ表示装置１１０，１１２を遊技状態に対応させて点灯制御するための制御コマンドをＲＡＭ２０３の所定エリアに格納する表示灯制御処理とを実行する。
【００３３】
次に、ステップＳ２６０では、各処理でＲＡＭ２０３に格納したデータを出力ポート２１５を介して対応する装置に出力し（ポート出力処理）、これを受け取った装置側はこれに基づいた制御動作を行う。特別図柄表示装置１００に対しては、先ず、ストローブ信号を出力し、ステップＳ１８０にてＲＡＭ２０３に格納されたモード、イベントの表示制御コマンドを出力する。これによって、特別図柄表示装置１００には、例えば、図４乃至図７にて示した表示制御コマンドが主制御部２００から出力されることになる。また、表示制御コマンドを出力するとともに、出力した表示制御コマンドをＥＥＰＲＯＭ２０４の所定領域に格納する。
【００３４】
ステップＳ２７０では、リセット回路２１３からリセット信号が入力されるまでリセット待機処理を実行するとともに、リセット信号が入力された場合には、ステップＳ１１０に移行して、遊技機制御を継続する。なお、このリセット待機処理としては、各種の乱数生成用のカウンタの更新等が挙げられる。
前記ステップＳ３００における電源投入時の処理は、次のようになる。図９は、電源投入時の処理のフローチャートを示す。
【００３５】
先ず、ステップＳ３０１では、主制御部２００は自身のスタックポインタの設定や主制御部２００に内蔵されるデバイスの設定を行う。主制御部２００に内蔵されるデバイスの設定としては、ＲＡＭ２０３の初期化、レジスタクリア等の自身の初期化等が挙げられる。そして、ステップＳ３０２に移行して、ＲＡＭクリアスイッチがオンか否かを判定する。ＲＡＭクリアスイッチがオンと判定されたとき(Yes)は、ステップＳ３１０に移行する一方、これ以外のとき(No)は、ステップＳ３０３に移行する。
【００３６】
ステップＳ３１０では、ＲＡＭ２０３の初期化処理として記憶エリアのクリア処理を実行し、次いで、ステップＳ３１１及びステップＳ３１２において、特別図柄表示装置１００及び普通図柄表示装置１０８に特別図柄の電源投入時コマンド及び普通図柄の電源投入時コマンドをそれぞれ送信する。そして、ステップＳ３１３，ステップＳ３１４において、効果音発生装置１１６へ消音コマンドを送信し、さらに、ランプ表示装置１１０，１１２に電源投入時コマンドを送信する。なお、このステップＳ３１３における処理は、前記ステップＳ２４０における効果音処理であってその電源投入時の処理に対応し、ステップＳ３１４における処理は、前記ステップＳ２５０における表示灯制御処理であってその電源投入時の処理に対応する。
【００３７】
次に、ステップＳ３１５において各種ＲＡＭの初期設定をして、次いで、ステップＳ３１６において、メイン処理を実行する。ここで、メイン処理としては、前記ステップＳ２６０及びステップＳ２７０におけるポート出力処理、リセット待機処理等が挙げられる。
一方、ステップＳ３０３では、バックアップが有効か否かを判定する。例えば、電源断時には、バックアップ用のバックアップフラグを立てており、ステップＳ３０３では、このバックアップフラグに基づいて実施されたバックアップが有効であるか否かを判定する。ここで、バックアップが有効と判定されたとき(Yes)は、ステップＳ３３０４に移行する一方、これ以外のとき(No)は、前記ステップＳ３１０に移行する。
【００３８】
ステップＳ３０４では、ＲＡＭ２０３の内容が正常か否かを判定し、ＲＡＭ２０３の内容が正常と判定されたとき(Yes)は、ステップＳ３０５に移行する一方、これ以外のとき(No)は、前記ステップＳ３１０に移行する。
ステップＳ３０５では、バックアップ有効解除をして、すなわちバックアップの実施状態を解除して、次いで、復帰処理として、ステップＳ３０６において、スタックポインタを復帰させる処理等を行う。続いて、ステップＳ３０７では、電源復帰時の各種ＲＡＭの初期設定を行い、ステップＳ４００に移行する。
【００３９】
ステップＳ４００では、周辺装置（サブ制御基板）の設定処理を行う。この周辺装置の設定処理の後、ステップＳ３０８に移行する。なお、周辺装置の設定処理については、後で詳述する。
ステップＳ３０８では、各レジスタを復帰させて、続くステップＳ３０９において割り込み状態に復帰する。そして、電源段発生時の処理に戻る。
図１０は、前記ステップＳ４００における周辺装置の設定処理の具体例を示すフローチャートである。
【００４０】
先ず、ステップＳ４０１では、復帰時の特殊識別コードを送信し、続く、ステップＳ４０２〜ステップＳ４０８にて、特別図柄表示装置１００に、特殊識別コードをヘッダとしたＡ指定コマンド〜Ｇ指定コマンドをそれぞれ送信する。ここで、Ａ指定コマンド〜Ｇ指定コマンドは、電源復帰時の特別図柄表示装置１００がする動作を指定するためのコマンドからなる。また、指定される動作とは、電源復帰後処理による動作であり、例えば、電源復帰後の必要とされる内部処理動作や所定の表示を行うための動作である。特殊識別コードが付されたこれらコマンドは、図１１に示すような伝送フォーマットとして送信される。なお、特殊識別コードは、特別図柄表示装置１００が電源復帰後処理を正常動作するための電源復帰情報をなす。
【００４１】
次に、特別図柄表示装置１００の構成を図１２を参照しながら説明する。図１２は、特別図柄表示装置１００の構成を示すブロック図である。
特別図柄表示装置１００は、主制御部２００からのストローブ信号や表示制御コマンドを受信するためのデータ受信回路１１４０（データレベルを変換する電圧変換回路を含む）と、この電圧変換回路等に電源供給を行う電源回路１１６０と、受信した表示制御コマンドに基づいて表示制御を行うために必要な制御データを生成して画像処理用ＬＳＩ（ＶＤＰ）１０６０に出力するＣＰＵ１０２０と、ＣＰＵ１０２０の動作手順を記述した表示制御プログラムを内蔵するプログラムＲＯＭ１０４０と、ワークエリアやバッファメモリとして機能するＲＡＭ１０９０と、画像展開処理を行う画像処理用ＬＳＩ１０６０と、画像処理用ＬＳＩ１０６０が展開した画像データを一時的に記憶するビデオＲＡＭ１０８０と、画像処理用ＬＳＩ１０６０が画像展開するために必要なデータを格納したキャラクタＲＯＭ１１８０と、ビデオＲＡＭ１０８０に一時的に記憶された画像データを受け取って送出するＬＣＤパネル用インターフェース回路１１００と、ＬＣＤパネル用インターフェース回路１１００から送出された画像データを用いて表示画像を出力するＬＣＤパネル１１２０とで構成されている。
【００４２】
次に、キャラクタＲＯＭ１１８０に格納されているデータ構造を図１３を参照しながら説明する。図１３は、キャラクタＲＯＭ１１８０に格納されているデータ構造を示す図である。
キャラクタＲＯＭ１１８０は、図１３（ａ）に示すように、ＲＯＭタイトル領域と、ＲＯＭ管理情報領域と、実際のキャラクタデータを格納したキャラクタイメージデータ領域と、キャラクタの色彩データを格納したパレットデータ領域と、キャラクタの動きを定義したデータを格納したシナリオデータ領域とを有していて、キャラクタデータは、特定の圧縮方法で圧縮された状態でキャラクタイメージデータ領域に格納されており、さらに、図１３（ｂ）に示すように、パレットデータ領域は、色番号とカラーコードとが対となったものが複数種類格納されている。
【００４３】
ＣＰＵ１０２０は、データ受信回路１１４０が受信した表示制御コマンドに応じて生成した制御データを画像処理用ＬＳＩ１０６０に与えると、画像処理用ＬＳＩ１０６０は、キャラクタイメージデータ領域から獲得したキャラクタデータを解凍し、パレットデータ領域から獲得した色彩データに基づいて配色し、シナリオデータ領域から獲得したデータで指定されたビデオＲＡＭ１０８０上の位置に画像展開したデータを一時的に格納し、一時的に格納したデータをＬＣＤパネル用インターフェース回路１１００に送ることによって、ＬＣＤパネル１１２０によって、変動表示速度変化等を含む様々な画像表示が細かに行われる。
【００４４】
次に、表示制御コマンドの入出力タイミングを図１４を参照しながら説明する。図１４は、表示制御コマンドの入出力タイミングを示すタイミングチャートである。
表示制御コマンドは、１バイト長のモード（ＭＯＤＥ）と、同じく１バイト長のイベント（ＥＶＥＮＴ）とからなっていて、図１４の例では、主制御部２００は、コマンド変化時に自身が生成するストローブ信号（ＤＵＳＴＢ）の１つ目の立ち上がりを契機として、モード（ＭＯＤＥ）データを出力し、次いでストローブ信号（ＤＵＳＴＢ）の２つ目の立ち上がりを契機として、イベント（ＥＶＥＮＴ）データを出力したものである。これに対応して、ＣＰＵ１０２０は、ストローブ信号（ＤＵＳＴＢ）が出力されてくると割込を発生させ、この割込処理によって表示制御コマンドを受信してＲＡＭ１０９０に格納する。図１５は、受信される表示制御コマンド列の一例を示し、[1]変動パターン指定コマンド、[2]左図柄指定コマンド、[3]中図柄指定コマンド、[4]右図柄指定コマンド、[5]図柄停止コマンドの順番とした伝送フォーマットとされて入力されている。
【００４５】
次に、ＣＰＵ１０２０の構成及びＣＰＵ１０２０で実行される処理を図１６を参照しながら詳細に説明する。
ＣＰＵ１０２０は、マイクロプロセッシングユニットＭＰＵ等からなり、図示しないリセット回路からのリセット信号により所定の動作クロック（例えば、４［ｍｓ］）で１サイクルを実行可能な表示制御プログラムに基づいて動作するようになっており、プログラムＲＯＭ１０４０の所定領域に格納されている表示制御プログラムを起動させ、図１６のフローチャートに示す表示制御処理を実行するようになっている。図１６は、表示制御処理を示すフローチャートである。
【００４６】
表示制御処理では、ＣＰＵ１０２０において実行されると、先ず、ステップＳ５０１に移行するようになっている。ステップＳ５０１では、電源投入が行われてから初めての処理が実行されたか否かを判定する。電源投入後、初めての処理のとき(Yes)は、ステップＳ５０２に移行する一方、これ以外のとき(No)は、ステップＳ５０６に移行する。
ステップＳ５０２では、ＣＰＵ１０２０は自身のスタックポインタの設定や、レジスタクリア等の自身の初期化等のＣＰＵ１０２０に内蔵されているデバイスの設定を行う。続いて、ステップＳ５０３において、ＲＡＭ１０９０の初期化を行い、ステップＳ５０６に移行する。
【００４７】
ステップＳ５０６では、新たな表示制御コマンドが入力されたか否かを判定し、新たな表示制御コマンドが入力されたと判定されたとき(Yes)は、ステップＳ５０７に移行する一方、これ以外のとき(No)は、ステップＳ５１２に移行する。ステップＳ５０７では、入力された新コマンドが特殊識別コードか否かを判定し、入力された新コマンドが特殊識別コードと判定されたとき(Yes)は、ステップＳ５１０に移行する一方、これ以外のとき（No）は、ステップＳ５０８に移行する。
【００４８】
ステップＳ５０８では、伝送フォーマットが正常か否かを判定し、伝送フォーマットが正常であると判定されたとき（Yes）は、ステップＳ５１０に移行する一方、これ以外のとき(No)は、ステップＳ５０９に移行する。ステッＳ５０９では、エラー処理を行い、ステップＳ５１０に移行する。
ステップＳ５１０では、入力コマンドセット処理として、図１４において説明した割込処理において、データ受信回路１１４０が受信したコマンドをＲＡＭ１０９０にコピーする。ここで、受信されるコマンドは、前記ステップＳ５０７にて、特殊識別コードが付されていると判定されている場合、前記図１１に示した電源復帰後処理用のコマンドであり、特殊識別コードが付されていないと判定されている場合、通常処理時のコマンド、例えば前記図１５に示した表示制御コマンドである。
【００４９】
そして、このステップＳ５１０では、この受信されたコマンドが正常か否かのチェック等を行う。次に、ＣＰＵ１０２０は、主制御部２００とは独立して細かな表示制御を行うための必要な表示制御コマンドを得るべく、処理テーブル（図示せず）の先頭アドレスを決定し、次いでステップＳ５１１において、画像処理用ＬＳＩ１０６０へ出力するためにＲＡＭ１０９０の必要なエリアのデータを更新する。
【００５０】
次に、ステップＳ５１２において、ＲＡＭ１０９０にセットされている図柄制御データに基づいて、画像処理用ＬＳＩ１０６０へ出力するためのスクロールデータを求めてＲＡＭ１０９０にセットし、図柄表示位置を設定し、次いで、ステップＳ５１３において、図柄速度制御に必要なデータを、プログラムＲＯＭ１０４０に内蔵されている速度テーブル（図示せず）から取得してＲＡＭ１０９０にセットし、次にステップＳ５１４において、速度データに基づいて図柄オフセット値を更新し、設定された速度で図柄変動を行うための準備を行う。
【００５１】
次に、ステップＳ５１５において、ＲＡＭ１０９０にセットされているアニメーション処理用データが格納されているアニメーション処理用テーブル（図示せず）からアニメーションデータを取得し背景画像の表示のための準備を行い、ＲＡＭ１０９０内のＶＤＰ出力用バッファにセットし、出力許可フラグが「１」か否かを判定する（ステップＳ５１６）。
そして、出力許可フラグが「１」でないとき(No)は、ステップＳ１１０２に戻って一連の処理を繰り返す一方、出力許可フラグが「１」であるとき(Yes)は、ステップＳ５１７にて、ＶＤＰ出力用バッファにセットされているデータを画像処理用ＬＳＩ１０６０に出力する。画像処理用ＬＳＩ１０６０は、これに応じてキャラクタＲＯＭ１１８０のデータを獲得して画像展開し、画像展開されたデータは、ビデオＲＡＭ１０８０に一時的に記憶された後、ＬＣＤパネル用インターフェース回路１１００に送られ、ＬＣＤパネル１１２０による画像表示が行われる。
【００５２】
なお、ステップＳ５０８において、電源復帰後処理用のコマンドとして内部処理用コマンドが入力された場合には、ステップＳ５１０以降の処理において、そのコマンド内容の内部処理を実行するようにする。
次に、前記実施の形態の動作、作用、及びその効果を説明する。図１７及び図１８は、主制御部２００から特別図柄表示装置１００に出力される表示制御コマンドの出力タイミングの一例を示す図である。
【００５３】
先ず、パチンコ機に電源が投入され、特別図柄始動口１０４に遊技球が入賞すると、主基板２００により、複数の表示制御コマンドからなる表示制御コマンド群が特別図柄表示装置１００に出力されることにより、図柄の変動表示制御が開始される。
具体的には、主制御部２００では、図１７及び図１８に示すように、ステップＳ１８０，Ｓ２６０を繰り返し経て、変動パターン指定コマンド（[1]）が出力され、それからＴ１時間経過後に左図柄指定コマンド（[2]）が出力され、それからＴ２時間経過後に中図柄指定コマンド（[3]）が出力される。そして、それからＴ３時間経過後に右図柄指定コマンド（[4]）が出力され、変動開始からＴ時間経過後に図柄停止コマンド（[5]）が出力される。一方、このように出力された表示制御コマンドは、ステップＳ２６０を経て、ＥＥＰＲＯＭ２０４に格納される。
【００５４】
特別図柄表示装置１００では、これらの表示制御コマンドを受信すると、ＣＰＵ１０２０により、変動パターン指定コマンドにて指定された時間が経過する前に、変動速度変化等の細かな表示制御が行われて一連の変動表示制御が行われ、変動開始からＴ時間経過後に変動表示制御が終了する。
次に、例えば、主制御部２００が特別図柄表示装置１００への図１５に示したような伝送フォーマットからなるコマンド列の送信中に停電（電源断）が発生した場合、停電から復帰したときは、次のように動作する。例えば、電源断が、図１９中（Ａ）に示すように、伝送フォーマットからなるコマンド列[1][2][3][4][5]の途中のいずれかの場所で発生した場合の動作である。
【００５５】
先ず、主制御部２００では、図１９中（Ｃ）（図１１）に示すように、電源復帰時伝送フォーマットとして特殊識別コードを付したＡ指定コマンド〜Ｇ指定コマンドを送る。例えば、電源断が図１１に示したような通常伝送フォーマットでの表示制御コマンド列の送信中に発生したか否かについての判定は、ＥＥＰＲＯＭ２０４に格納されている表示制御コマンド（例えば、図柄停止コマンド）に基づいて行う。すなわち、主制御部２００は、バックアップ機能により、表示制御コマンドをＥＥＰＲＯＭ２０４に退避させながら周辺装置に該表示制御コマンドを送信しており、これにより、ＥＥＰＲＯＭ２０４に表示制御コマンドが格納されている場合には、伝送フォーマットの送信中に電源断が発生したと判定する。
【００５６】
続いて、主制御部２００は、この図１９中（Ｃ）に示したような指定コマンド列Ａ〜Ｇを送った後に、残りのコマンド列を送る。残りのコマンド列とは、例えば、主制御部２００が右図柄指定コマンド[4]を出力してから図柄停止コマンドを出力するまでの間に停電した場合、図柄停止コマンド以降の表示制御コマンドに該当する。
一方、特別図柄表示装置１００は、図１１に示すようなコマンド列の先頭の特殊識別コードを認識し、これにより、通常伝送フォーマットによるコマンド送信中に、電源復帰時伝送フォーマットが割り込まれたと判断する。そして、特別図柄表示装置１００は、その割り込まれた電源復帰時の伝送フォーマットからなる指定コマンド列Ａ〜Ｇに基づいて指定動作、例えば、図２０に示すような遊技可能な状態である旨を表示する表示動作をする。その後、特別図柄表示装置１００は、電源断直前に続くコマンド列（例えば、前述の図柄停止コマンド以降のコマンド）に基づいて表示処理を行う。
【００５７】
ここで、特別図柄表示装置１００は、図１５に示した通常伝送フォーマットのコマンド列の検査により伝送フォーマットエラーを検出してエラー報知をする機能を有している（図１６に示すステップＳ５０９の処理）。このようなことから、従来では、主制御部２００は、電源復帰時には、本発明のように特殊識別コードが付加されていない図１９中（Ｂ）に示すような伝送フォーマットからなる指定コマンド列Ａ〜Ｇを送信していたが、特別図柄制御装置１００では、この指定コマンド列Ａ〜Ｇと、通常送られてくるコマンド列（表示制御コマンド群）とを識別できないことから、伝送フォーマットエラーとして判断し、エラー報知をしてしまうという問題があった。
【００５８】
しかし、本発明を適用することにより、特別図柄表示装置１００は、電源復帰時に送信されてくる伝送フォーマットの先頭に付加されている特殊識別コードを認識し、通常伝送フォーマットによるコマンド送信中に、電源復帰時フォーマットの指定コマンド列Ａ〜Ｇが割り込まれたと判断することができることとなり、エラー報知をすることを防止しつつ、指定コマンド列Ａ〜Ｇに基づいた指定動作をすることができるようになる。
【００５９】
これにより、停電から復帰して遊技可能な状態となったときに、特別図柄表示装置１００では、エラー処理されてしまうことを防止することができるようになり、さらに、電源復帰直後に適切な処理（例えば、遊技可能な状態である旨が表示）をすることができるようになるので、従来に比して、遊技者に与える不安感を比較的緩和することができる。
なお、本発明は前述の実施の形態に適用されることに限定されるものではない。すなわち、前述の実施の形態では、主制御部２００は、表示制御コマンドの送信中に電源断された場合に、特殊識別コードを付加して電源復帰時伝送フォーマットを構成しているが、これに限定されるものではない。図２１中（Ａ）に示すように、コマンド定義を示すモード及びイベントのコマンドの送信中に電源断があった場合にも、図２１中（Ｃ）に示すように、その電源復帰時には、特殊識別コードを付加して電源復帰時伝送フォーマットを構成するようにしてもよい。
【００６０】
すなわち、本発明に係る特別図柄表示装置１００もそうであるが、従来より、図２１中（Ａ）（図１４）からなるコマンドの構成を検査して、定義されたコマンド構成以外の場合、未定義コマンドとして無視するようになされている。このようなことから、従来では、主制御部２００は、電源復帰時には、本発明のように特殊識別コードが付加されていない図２１中（Ｂ）に示すような電源復帰時の伝送フォーマットからなる指定コマンド列Ａ〜Ｇを送信し、電源復帰後の処理で、残りのコマンドを送信していたが、特別図柄制御装置１００では、この指示コマンド列Ａ〜Ｇと、通常送られてくるコマンド列（表示制御コマンド群）とをそもそも識別できないことから、前述したように未定義コマンドとしてしまうことがあった。
【００６１】
しかし、本発明を適用することにより、特別図柄表示装置１００は、電源復帰時に送信されてくる伝送フォーマットの先頭に付加されている特殊識別コードを認識し、通常伝送フォーマットによるコマンド送信中に、電源復帰時フォーマットの指示コマンド列Ａ〜Ｇが割り込まれたと判断することができるようになり、未定義コマンドとしてエラー報知をすることもなく、指定コマンド列Ａ〜Ｇに基づいた指定動作をすることができるようになる。
【００６２】
また、前述の実施の形態においては、特別図柄を表示する特別図柄表示装置１００と普通図柄を表示する普通図柄表示装置１０８とを個別に設けたパチンコ機に本発明を適用した場合について説明したが、特別図柄と普通図柄とを一の図柄表示装置で表示するパチンコ機に本発明を適用することもできる。図２２は、そのようなパチンコ機における遊技盤面の構成を示す。
このパチンコ機には、遊技盤１０のほぼ中央部に、図柄表示装置１０１が配設されている。そして、図柄表示装置１０１は、３つ（左、中、右）の表示エリアで変動表示可能として特別図柄１０１ａを表示するとともに、その一部領域に普通図柄１０１ｂを表示している。この例では、普通図柄１０１ｂは、表示部のコーナ部分に表示されている。また、普通図柄１０１ｂは、２つ（左、右）の表示エリアを持ち、変動表示可能とされている。
【００６３】
このように構成されている場合には、電源復帰後に、主制御部２００は、周辺機器である図柄表示装置１０１に、特殊識別コードを付して、特別図柄表示用のコマンドに加えて普通図柄表示用のコマンドを送信することで、設定処理を実施する。図２３は、その設定処理の具体例を示すフローチャートである。
先ず、ステップＳ６０１では、復帰時の特殊識別コードを送信し、続く、ステップＳ６０２〜ステップＳ６０５にて、図柄表示装置１０１に、特殊識別コードをヘッダとした特別図柄用の指定コマンド列、例えばＡ指定コマンド〜Ｄ指定コマンドをそれぞれ送信する。ここで、Ａ指定コマンド〜Ｄ指定コマンドは、電源復帰時に特別図柄による表示を行うためのコマンドからなる。続いて、ステップＳ６０６〜ステップＳ６０８にて、図柄表示装置１０１に、特殊識別コードをヘッダとした特別図柄用の指定コマンド列、例えばＥ指定コマンド〜Ｇ指定コマンドをそれぞれ送信する。ここで、Ｅ指定コマンド〜Ｇ指定コマンドは、電源復帰時に普通図柄による表示を行うためのコマンドからなる。例えば、電源復帰時に変動表示により普通図柄による表示を実施する場合には、Ｅ指定コマンドは、普通図柄の変動を開始させるコマンドであり、Ｆ指定コマンドは、普通図柄左の停止図柄を示すコマンドであり、Ｇ指定コマンドは、普通図柄右の停止図柄を示すコマンドである。
【００６４】
このような指定コマンド列を受け取った図柄表示装置１０１は、先ず受信した識別コードにより、電源復帰時伝送フォーマットが割り込まれたと判断して、続いて受信したＡ指定コマンド〜Ｇ指定コマンドに基づいて、特別図柄に加えて普通図柄について表示制御を行う。
このように、本発明は、特別図柄と普通図柄とを一の図柄表示装置１０１で表示するパチンコ機にも適用することができる。
【００６５】
また、前述の実施の形態においては、特別図柄表示装置１００は、周辺装置である特別図柄表示装置１００に、電源復帰後に特殊識別コードを付した指定コマンドを送信するように構成したが、これに限らず、ランプ表示装置１１０、効果音発生装置１１６、普通図柄表示装置１０８、または図示しない賞球払出装置に、電源復帰後に特殊識別コードを付した指定コマンドを送信するようにしてもよい。この場合、特殊識別コードは送信される各装置に識別可能に構成され、また、指定コマンドは送信される各装置が動作可能な制御内容にする。
【００６６】
また、前述の実施の形態において、図８，図９及び図１０のフローチャートに示す処理を実行するにあたっては、ＲＯＭ２０１にあらかじめ格納されている遊技制御プログラムを実行する場合について説明したが、これに限らず、これらの手順を示したプログラムが記憶された記憶媒体から、そのプログラムをＲＡＭ２０３に読み込んで実行するようにしてもよい。
また、前述の実施の形態において、図１６のフローチャートに示す処理を実行するにあたっては、プログラムＲＯＭ１０４０にあらかじめ格納されている表示制御プログラムを実行する場合について説明したが、これに限らず、これらの手順を示したプログラムが記憶された記憶媒体から、そのプログラムをＲＡＭ１０９０に読み込んで実行するようにしてもよい。
【００６７】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
また、前記実施の形態においては、パチンコ機に本発明を適用した場合について説明したが、これに限らず、本発明の趣旨を逸脱しない範囲で他のアミューズメントゲーム機にも適用可能である。
【００６８】
なお、前述の実施の形態において、前記ＥＥＰＲＰＭ２０４は、遊技機を駆動するための電源からの電力供給の有無によらずデータを記憶可能な記憶手段をなし、前記主制御部２００は、遊技状態を制御する遊技制御手段をなし、特別図柄表示装置１００は、主制御部２００からの制御コマンドに基づいて動作する周辺装置をなす。
【００６９】
【発明の効果】
以上説明したように、発明１及び２の遊技機によれば、停電から復帰して遊技可能な状態になったときに、周辺装置又は表示装置は確実に電源復帰後処理の正常動作を行うことができる。これにより、遊技者に与える不安感を比較的緩和することができるという効果が得られる。
また、発明３及び４の遊技機によれば、表示装置が、正常動作される電源復帰後処理として、遊技可能な状態である旨を通知することで、遊技者に与える不安感を緩和する効果を有効的にすることができる。
【図面の簡単な説明】
【図１】パチンコ機における遊技盤面の正面部、特に説明に必要な部分を模式的に示した図である。
【図２】主制御部２００の構成を示すブロック図である。
【図３】表示制御コマンドのデータ構造を示す図である。
【図４】表示制御コマンドの内容を示す図である。
【図５】表示制御コマンドの内容を示す図である。
【図６】表示制御コマンドの内容を示す図である。
【図７】表示制御コマンドの内容を示す図である。
【図８】遊技制御処理を示すフローチャートである。
【図９】電源投入時の処理を示すフローチャートである。
【図１０】特別図柄表示装置の設定処理を示すフローチャートである。
【図１１】電源復帰時の伝送フォーマットを示す図である。
【図１２】特別図柄表示装置１００の構成を示すブロック図である。
【図１３】キャラクタＲＯＭ１１８０に格納されているデータ構造を示す図である。
【図１４】表示制御コマンドの入出力タイミングを示すタイミングチャートである。
【図１５】図柄制御コマンドの伝送フォーマットを示す図である。
【図１６】表示制御処理を示すフローチャートである。
【図１７】主制御部２００から特別図柄表示装置１００に出力される表示制御コマンドの出力タイミングの一例を示す図である。
【図１８】主制御部２００から特別図柄表示装置１００に出力される表示制御コマンドの出力タイミングの一例を示す図である。
【図１９】本発明による効果を説明するために使用したタイムチャートである。
【図２０】特別図柄表示装置１００の電源復帰時の表示画面を示す図である。
【図２１】本発明による他の効果を説明するために使用したタイムチャートである。
【図２２】特別図柄と普通図柄とを表示する図柄表示装置を備えたパチンコ機における遊技盤面の正面部を模式的に示した図である。
【図２３】図柄表示装置の設定処理を示すフローチャートである。
【符号の説明】
１０                遊技盤
１００              特別図柄表示装置
１０２              普通図柄作動ゲート
１０４              特別図柄始動口
１０６              大入賞口
１０８              普通図柄表示装置
１１０，１１２      ランプ表示装置
１１４              アウト口
１１６              効果音発生装置
１２０              開閉部材
２００              主制御部
２０１              ＲＯＭ
２０２              コマンドデータテーブル領域
２０３              ＲＡＭ
２１０              入力ポート
２１３              リセット回路
２１２              電源回路
２１５              出力ポート
３００              始動口作動ソレノイド
３０２              大入賞口作動ソレノイド
３０４              特別図柄始動スイッチ
３０６              普通図柄作動スイッチ
３０８              大入賞口スイッチ
１０２０            ＣＰＵ
１０４０            プログラムＲＯＭ
１０６０            画像処理用ＬＳＩ
１０８０            ビデオＲＡＭ
１０９０            ＲＡＭ
１１００            ＬＣＤパネル用インターフェース回路
１１２０            ＬＣＤパネル
１１４０            データ受信回路
１１６０            電源回路
１１８０            キャラクタＲＯＭ
【図１】
0004204780.tif 000002
【図２】
0004204780.tif 000003
【図３】
0004204780.tif 000004
【図４】
0004204780.tif 000005
【図５】
0004204780.tif 000006
【図６】
0004204780.tif 000007
【図７】
0004204780.tif 000008
【図８】
0004204780.tif 000009
【図９】
0004204780.tif 000010
【図１０】
0004204780.tif 000011
【図１１】
0004204780.tif 000012
【図１２】
0004204780.tif 000013
【図１３】
0004204780.tif 000014
【図１４】
0004204780.tif 000015
【図１５】
0004204780.tif 000016
【図１６】
0004204780.tif 000017
【図１７】
0004204780.tif 000018
【図１８】
0004204780.tif 000019
【図１９】
0004204780.tif 000020
【図２０】
0004204780.tif 000021
【図２１】
0004204780.tif 000022
【図２２】
0004204780.tif 000023
【図２３】
0004204780.tif 000024